(57)【要約】【課題】家庭の電話回線を用いて画像の撮影と通信が可能な固定電話装置を提供する。【解決手段】電話装置本体１に、電話回線を通じて画像の通信を行うファクシミリ機能部５または電子メールの添付ファイルとして画像を送る機能部を備えた固定電話装置において、電話装置本体１とは別体に、撮影された画像をファクシミリ機能部５に伝送する画像伝送機能付きカメラを設ける。この画像伝送機能付きカメラは、好ましくは子機２に取り付ける。このカメラ付き子機２のカメラ機能を用いて取り込んだ書類や本、あるいは人物などの画像は電話装置本体１にコードレスで伝送され、ファクシミリ機能部により電話回線を通して、ファクシミリ画像または電子メールの添付ファイルとして相手に送信される。【選択図】  図１
2004266712.tif 000002
【特許請求の範囲】
【請求項１】
電話装置本体に、電話回線を通じて画像の通信を行うファクシミリ機能部と、電子メールの添付ファイルとして画像を送る機能部の、少なくともいずれか一方の機能部を備えた固定電話装置において、
前記電話装置本体とは別体に、撮影された画像を前記機能部に対して伝送する画像伝送機能付きカメラを設けたことを特徴とする固定電話装置。
【請求項２】
前記電話装置本体に対し、外部の電話やコンピュータから画像送信要求があったときに、前記画像伝送機能付きカメラが撮影を行うようにし、その撮影された画像を前記外部の電話やコンピュータにファクシミリ画像または電子メールの添付書類として送信する機能を備えたことを特徴とする請求項１に記載の固定電話装置。
【請求項３】
電話装置本体に、電話回線を通じて動画像の通信を行う動画ストリーミング配信機能部を備え、前記電話装置本体とは別体に、撮影された動画像を前記動画ストリーミング配信機能部に対して伝送する画像伝送機能付きカメラを設けたことを特徴とする固定電話装置。
【請求項４】
前記画像伝送機能付きカメラは、前記電話装置本体のハンドセットに設けたことを特徴とする請求項１から３のいずれかの項に記載の固定電話装置。
【請求項５】
前記画像伝送機能付きカメラは、前記電話装置本体を親機とするコードレス子機に設けたことを特徴とする請求項１から３のいずれかの項に記載の固定電話装置。
【発明の詳細な説明】
【０００１】
【発明の属する技術分野】
本発明は、カメラ機能を備えた固定電話装置に関する。
【０００２】
【従来の技術】
近年、携帯電話の普及と共に、家庭における固定電話装置の高機能化も進められている。この中で、ファクシミリ機能を備えた電話装置は一般的になっている。ファクシミリ機能付きの電話装置は、ファクシミリ機能のうちのスキャナ部を電話機本体からコード付ないしはコードレスで着脱自在とした構造である。スキャナ部を着脱自在としたことにより、取り外したスキャナ部単体でスキャナ機能を発揮できるので、単票の原稿のみならず、本等の厚手の物から必要箇所をスキャナで走査して直接読み取ることができるので便利である。
【０００３】
一方、ファクシミリ機能付き固定電話装置の表示部の機能を高めることを目的として、特許文献１（特開２００２−２０８９９５号公報）には、回線を通じて各種信号の送受信を行うと共に、携帯情報端末機能を備えたカメラ付き表示部を電話装置本体から着脱自在とした電話装置が開示されている。このカメラ付き表示部は、電話装置本体（親機）に装着しているときは親機のディスプレイとして機能し、表示部で作成した文書や画像をファクシミリ機能部を利用してプリントしたり送信したりすることができる。表示部を親機から取り外すと、交換基地局への送受信が可能なカメラ付き携帯電話と同様な機能を有する移動通信機器となる。
【０００４】
【特許文献１】
特開２００２−２０８９９５号公報（段落００２２、００２５）
【０００５】
【発明が解決しようとする課題】
上述したファクシミリ機能付き固定電話装置では、取り外し可能なスキャナ部を用いて百科事典などの分厚い本を読み込もうとすると、中綴じ部が大きく湾曲しているため、読み取りがうまくできないことがある。さらに、このスキャナを電話装置本体に取り付ける構造などが複雑である。
【０００６】
また、特許文献１に記載された電話装置においては、その表示部は、親機から取り外すと親機から完全に独立した移動通信機器となるため、親機の通信機能やファクシミリ機能が利用されなくなるという無駄があった。特に、移動通信には携帯電話会社との契約や基本料金が固定電話とは別にかかり、またインターネット接続サービス（ｉモード、ｅｚ−ｗｅｂ、Ｊ−ｓｋｙ（いずれも各社の商標）等）を利用するにも別料金が必要となる。
【０００７】
本発明は、前記のような移動通信機能を利用することなく、家庭の電話回線を用いて画像の撮影と通信が可能な固定電話装置を提供することを目的とする。
【０００８】
【課題を解決するための手段】
本発明の固定電話装置においては、ファクシミリ機能部と、電子メールの添付ファイルとして画像を送る機能部の、少なくともいずれか一方の機能部を備えた固定電話装置において、電話装置本体とは別体に、画像伝送機能付きカメラを設け、このカメラで撮影した画像を、ファクシミリ画像または電子メールの添付ファイルとして電話回線を通じて送信するようにしたものである。
【０００９】
この発明によれば、家庭の電話回線を用いて画像の撮影と通信が可能な固定電話装置が得られる。
【００１０】
【発明の実施の形態】
本発明の請求項１に記載の発明は、電話装置本体に、電話回線を通じて画像の通信を行うファクシミリ機能部と、電子メールの添付ファイルとして画像を送る機能部の、少なくともいずれか一方の機能部を持つ固定電話装置において、前記電話装置本体とは別体に、撮影された画像を前記機能部に対して伝送する画像伝送機能付きカメラを設けたことを特徴とする固定電話装置としたものであり、伝送機能付きカメラを用いて取り込んだ書類や本、あるいは人物などの画像は電話装置本体に伝送され、その画像は、ファクシミリ機能部または電子メールの添付ファイルとして画像を送る機能部により、電話回線を通して相手に送信されるという作用を有する。ここで、電話装置本体は、スキャナ付きでも、スキャナ無しでもよい。
【００１１】
請求項２に記載の発明は、前記電話装置本体に対し、外部の電話やコンピュータから画像送信要求があったときに、前記画像伝送機能付きカメラが撮影を行うようにし、その撮影された画像を前記外部の電話やコンピュータにファクシミリ画像または電子メールの添付書類として送信する機能を備えたことを特徴とする請求項１に記載の固定電話装置としたものであり、モニターしたい対象に向けてカメラを設置しておくことで、出先の固定電話や携帯電話、あるいはパソコンからの画像送信要求に基づいて画像が撮影され、その画像をファクシミリ画像や静止画像、添付ファイル画像としてモニターすることができるという作用を有する。
【００１２】
請求項３に記載の発明は、電話装置本体に、電話回線を通じて動画像の通信を行う動画ストリーミング配信機能部を備え、前記電話装置本体とは別体に、撮影された動画像を前記動画ストリーミング配信機能部に対して伝送する画像伝送機能付きカメラを設けたことを特徴とする固定電話装置としたものであり、モニターしたい対象に向けてカメラを設置しておくことで、出先の携帯電話やパソコンからの画像送信要求に基づいて動画像が撮影され、撮影された動画像をストリーミング画像として携帯電話やパソコンの画面でモニターすることができるという作用を有する。
【００１３】
請求項４に記載の発明は、前記画像伝送機能付きカメラは、前記電話装置本体のハンドセットに設けたことを特徴とする請求項１から３のいずれかの項に記載の固定電話装置としたものであり、電話装置本体に付属しているハンドセットにカメラを設けることで、カメラを単独で備える必要がなく、部品点数が増えることがないと言う作用を有する。
【００１４】
請求項５に記載の発明は、前記画像伝送機能付きカメラは、前記電話装置本体を親機とするコードレス子機に設けたことを特徴とする請求項１から３のいずれかの項に記載の固定電話装置としたものであり、電話装置本体から離れた場所での使用に自由度が増すという作用を有する。
【００１５】
以下、本発明の実施の形態について、図１から図３を用いて説明する。
【００１６】
（実施の形態１）
図１は本発明の実施の形態１に係る固定電話装置を示し、図１において固定電話装置は、電話回線を通しての電話通信機能を備えた電話装置本体（以下「親機」という）１と、カメラ付き子機２とを備えている。親機１は、通常の通話を行うハンドセット３と、電話番号や画像等の表示を行う液晶ディスプレイからなる表示部４と、ファクシミリ機能部５と、子機２とのコードレス通信を行うためのアンテナ６とを備えている。クレードル７は、子機２の充電器を兼ねており、不使用時に子機２を自立した状態で差し込んでおくようにしている。
【００１７】
図２は親機１内部における信号処理系統を示すブロック図、図３はカメラ付き子機２内部における信号処理系統を示すブロック図である。
【００１８】
図２において、親機１は制御部１１の制御の下に電話の相手側と音声信号の送受信を行うと共に、無線送信部や無線受信部からなるコードレス通信部１２を通じて子機２側と双方向にコードレス通信を行う。制御部１１はＣＰＵやＲＡＭやＲＯＭ等で構成されており、親機１の制御全般を担っている。この親機１にはコードで接続されたハンドセット３が備わっているので、ハンドセット３を取り上げてオフフックすると子機２とのコードレス通話（内線通話）や回線を通じての外部との通話（外線通話）が可能である。また、親機１にはスピーカーホン通話部１３も備わっているので、スピーカーホン通話部１３のスイッチを押してオフフックすると手放しでの通話を行うこともできる。この親機１には留守番電話部１４が備わっているので、回線からベルが入来しても親機１側や子機２側で共にオフフックしない場合には、留守番電話部１４が作動して入来したメッセージの収録ができるようになっている。この際には、ベルが所定回数（例えば６回）鳴動してもオフフックされないと、制御部１１は切り替えスイッチ１５を通話回路部１６側から留守番電話部１４側に切り替えるようになっている。
【００１９】
更に、親機１にはファクシミリ機能部５も備わっているので、ファクシミリ通信開始信号であるＣＮＧ信号が入来すると制御部１１は切り替えスイッチ１５を通話回路部１６側からファクシミリ機能部５側へと切り替えてファクシミリの受信を行う。受信したファクシミリの内容は大型のディスプレイとしての表示部４に表示されるので、一瞥するだけで良い場合はプリントせずに、プリントした方が良い場合は操作部１７を操作してファクシミリ機能部５の中のプリント部１８を利用してプリントすることができる。
【００２０】
図３に示すように、カメラ付き子機２は、制御部２１を備えており、子機２の制御全般を担っている。この子機２には、テンキー等の操作部２２と、液晶ディスプレイ等の表示部２３と、音声回路２４と、高周波送受信部２５を有している。音声回路２４は、送受話器を構成するマイクロフォン２６とスピーカ２７に音声信号の授受を行う。また子機２にはＣＣＤカメラ２８が設けられており、撮影された画像は画像処理部２９でＪＰＥＧフォーマット等の信号に変換され、制御部２１に送られる。画像信号は、メモリ３０に保存される。カメラ付き子機２を電話機の子機として使用する場合は、音声信号は高周波送受信部２５で高周波信号に変換され、アンテナ３１を通して親機１に伝送され、親機１のコードレス通信部１２により回線と接続され、通話を行うことができる。
【００２１】
カメラ付き子機２をデジタルカメラとして使用するときは、ＣＣＤカメラ２８を用いて原稿や被写体を撮影し、操作部２２を操作することで、画像信号が高周波送受信部２５から親機１側のコードレス通信部１２に送信される。親機１では、画像信号をファクシミリ機能部５に送信し、プリント部１８によりプリントしたり、回線を通してファクシミリ画像として相手先に送信することができる。ＣＣＤカメラ２８には、葉書サイズ原稿、Ａ４原稿、Ｂ４原稿等、撮影する画像の大きさに応じて倍率を変えられるような、数段階のズーム機能や接写機能を持たせることが望ましい。
【００２２】
なお、ＣＣＤカメラ２８で撮影した画像は、メモリ３０に蓄積しておいて、画像を選択して親機１側に送ることもできるし、一括して親機１側に送ることもできる。このメモリ３０は、カード式等の着脱できる媒体とすることで、パソコン等にも取り込むようにすることができる。
【００２３】
なお、図１には、ファクシミリ機能部のスキャナを固定式とした例を示しているが、取り外し式のスキャナを持つ電話装置に別にカメラ付き子機２を備えてもよい。
【００２４】
また、スキャナなしの単なるコードレス電話装置の子機にカメラを付け、親機を経由して画像をＥメールやファクシミリ信号として相手先に電子メールしたり相手先にファックスすることでもいい。
【００２５】
親機１がＬモード（商標）等の電子メール通信機能を持っている場合には、子機２または親機１においてメールの文章を作成し、画像は例えばＪＰＥＧフォーマットの画像としてＥメールに添付ファイルとして添付して相手へ送信することもできる。この場合、親機１には、電子メール通信機能が備わっておればよく、ファクシミリ機能部は必ずしも備わっていなくてもよい。
【００２６】
（実施の形態２）
図１に示したように、カメラ付き子機２は、不使用時はクレードル７に保管されているが、ハンズフリー通話を行ったりするために、自立した状態で保管される形状となっている。そこで、カメラ付き子機２をクレードル７に自立した状態で保持する際に、カメラを、モニターしたい部屋や被写体に向けて設置しておくようにする。
【００２７】
例えば、寝たきりの老人や、病人、あるいは留守をするときの居間等にカメラ付き子機２をセットしておく。出先の固定電話や携帯電話、あるいはパソコンから画像送信要求を送ると、その信号に基づいてカメラ付き子機２は画像の撮影を開始する。その画像をファクシミリ画像や静止画像、あるいは添付ファイル画像として、その電話やパソコンに送ることで、出先の携帯電話やパソコンから人物や部屋の状況をモニターすることができる。
【００２８】
（実施の形態３）
前記の実施の形態２では、モニター画像は静止画であるが、本実施の形態３では、電話装置本体に、電話回線を通じて動画像の通信を行う動画ストリーミング配信機能部を備え、カメラ付き子機２に動画像撮影機能を持たせた構成とする。
【００２９】
カメラ付き子機２をモニターしたい対象に向けてクレードル７に設置しておき、出先の電話やパソコンから画像送信要求をすると、動画像の撮影が始まり、ＭＰＥＧ等のフォーマットで画像データがカメラ付き子機２から親機１に伝送される。親機１では、動画ストリーミング配信機能を用いて電話回線を通じて動画像を配信することで、出先の携帯電話やパソコンの画面から、現在の監視対象をモニターすることができる。
【００３０】
なお、実施の形態１から３においては、カメラを子機に取り付けた例を示したが、親機１のハンドセット３の裏面に付けても良いし、子機や親機とは別の、通話機能を持たないカメラ単体として構成することもできる。
【００３１】
【発明の効果】
以上のように本発明によれば、ファクシミリ機能部と、電子メールの添付ファイルとして画像を送る機能部の、少なくともいずれか一方の機能部を備えた固定電話装置において、電話装置本体とは別体に、画像伝送機能付きカメラを設け、このカメラで撮影した画像をファクシミリ機能部または電子メールの添付ファイルとして画像を送る機能部を用いて電話回線を通じて送信するようにしたことにより、分厚い本や立体的な被写体、あるいは人物など、スキャナでは困難であった画像を取り込むことができる。
【００３２】
また、電話装置本体に対し、外部の電話やコンピュータから画像送信要求があったときに、画像伝送機能付きカメラが撮影を行うようにし、その撮影された画像を前記外部の電話やコンピュータにファクシミリ画像または電子メールの添付書類として送信する機能を備えることにより、モニターしたい対象に向けてカメラを設置しておけば、出先の固定電話や携帯電話、あるいはパソコンからの画像送信要求に基づいて画像が撮影され、その画像をファクシミリ画像や静止画像、添付ファイル画像としてモニターすることができる。
【００３３】
さらに、電話装置本体に、電話回線を通じて動画像の通信を行う動画ストリーミング配信機能部を備え、電話装置本体とは別体に、撮影された動画像を前記動画ストリーミング配信機能部に対して伝送する画像伝送機能付きカメラを設けることにより、モニターしたい対象に向けてカメラを設置しておけば、出先の携帯電話やパソコンからの画像送信要求に基づいて動画像が撮影され、撮影された動画像をストリーミング画像として携帯電話やパソコンの画面でモニターすることができる。
【００３４】
前記画像伝送機能付きカメラを、電話装置本体のハンドセットに設けることにより、カメラを単独で備える必要がなく、部品点数が増えることがない。
【００３５】
前記画像伝送機能付きカメラを、電話装置本体を親機とするコードレス子機に設けることにより、電話装置本体から離れた場所での使用に自由度が増す。
【図面の簡単な説明】
【図１】本発明の実施の形態１に係る固定電話装置を示す斜視図
【図２】本発明の実施の形態１に係る親機内部における信号処理系統を示すブロック図
【図３】本発明の実施の形態１に係るカメラ付き子機内部における信号処理系統を示すブロック図
【符号の説明】
１  電話装置本体（親機）
２  カメラ付き子機
３  ハンドセット
４  表示部
５  ファクシミリ機能部
６  アンテナ
７  クレードル
１１  制御部
１２  コードレス通信部
１３  スピーカーホン通話部
１４  留守番電話部
１５  切り替えスイッチ
１６  通話回路部
１７  操作部
１８  プリント部
２１  制御部
２２  操作部
２３  表示部
２４  音声回路
２５  高周波送受信部
２６  マイクロフォン
２７  スピーカ
２８  ＣＣＤカメラ
２９  画像処理部
３０  メモリ
３１  アンテナ
【図１】
2004266712.tif 000003
【図２】
2004266712.tif 000004
【図３】
2004266712.tif 000005